(57)【要約】【課題】低コストで大量の尿液を消滅処理できる家畜農家大望の尿液処理システムを提供する。【解決手段】作業車が進入可能な入口及びこれと連続され前記作業車が荷役作業を行うことができる下り勾配の斜面を備え、該斜面を含めてその内部に尿液浸透可能な基材を堆積可能とした基材堆積槽と、前記基材堆積槽中に雨水が侵入するのを防止する屋根材と、前記基材堆積槽の斜面に配管され、その上部に堆積された基材に向けて空気を吐出供給する空気供給管と、を備えて基準装置を構成し、これに農家の利用ノウハウを加えて前記基材堆積槽に堆積された基材の水分蒸散能力に応じた量の尿液を日々投入し、投入尿液の消滅処理を行うことを特徴とする尿液処理システム。【選択図】　　　図１
2004099399.tif 000002
【特許請求の範囲】
【請求項１】
作業車が進入可能な入口及びこれと連続され前記作業車が荷役作業を行うことができる下り勾配の斜面を備え、該斜面を含めてその内部に尿液浸透可能な基材を堆積可能とした基材堆積槽と、
前記基材堆積槽中に雨水が侵入するのを防止する屋根材と、
前記基材堆積槽の斜面に配管され、その上部に堆積された基材に向けて空気を吐出供給する空気供給管と、
前記基材堆積槽に堆積された基材の水分蒸散能力に応じた量の尿液を日々投入し、投入尿液の消滅処理を行うことを特徴とする尿液処理システム。
【請求項２】
請求項１に記載の尿液処理システムにおいて、前記斜面上に堆積された基材から当該斜面に降下された余剰の尿液を最深部以下の位置まで自然流下させる尿液排出管を備えたことを特徴とする尿液処理システム。
【請求項３】
請求項１に記載の尿液処理システムにおいて、前記基材は、乾燥糞、湿潤度の低い糞尿、これらの１次発酵製品、藁、茶、コーヒ滓等有機物、炭やゼオライト等無機物の単独又は組み合わせであることを特徴とする尿液処理システム。
【請求項４】
請求項１に記載の尿液処理システムにおいて、前記尿液の投入量は、投入する尿液の種別に応じた発熱量と、前記基材の種別に応じた発熱量と、空気供給量と、補助熱源の有無と、天候等その他水分蒸散因子の熱量計算値に基づいて定められることを特徴とする尿液処理システム。
【請求項５】
尿液浸透可能な基材を堆積可能とした基材堆積槽と、前記基材堆積槽の中に雨水が侵入するのを防止する屋根材と、前記基材堆積槽の底面に尿液排出可能なだけの傾斜を付けて配置され、その途中に設けた穴を介してその上部に堆積された基材に向けて空気を供給すると共に、空気供給を停止した状態では当該穴を介して前記底部へ流下されてきた尿液を前記傾斜に従って下方向へ排出する空気供給及び尿液排出用の共用管を設けたことを特徴とする尿液処理システム。
【発明の詳細な説明】
【０００１】
【発明の属する技術分野】
本発明は、豚や牛等家畜の尿液を消滅処理することができる尿液処理システムに関する。
【０００２】
【従来の技術】
従来より、家畜の糞尿を堆肥化処理する手法、装置、システムが種々提案され一部実用化されている。
【０００３】
例えば実用新案登録第３０６０２０９号（家畜の糞尿等廃棄物の処理構造物）は、いわゆる野積みによる尿液の溢流を防止するためのものである。具体的には、牛舎に近接して糞尿を載置する堆肥板を設け、この堆肥板から直接掻き落すことのできる池のような廃棄物収容部を設け、この収容部の堆肥板とは反対位置に溢出瀝汁収容部を備え、溢出瀝汁を浄化処理し、これらが外部に流出されない構成とされている。また、池のような廃棄物収容部は、堆肥板側近くが深く、溢出瀝汁収容部側が低く形成され、堆肥板から投入される糞尿が次第に発酵し、浅部の方へ移動するよう構成されている。これらの構成により、理想的には、池のような廃棄物収容部の深部へ投入された糞尿が浅部の方向へ移動し、尿液に雨水や不純物等が混じった瀝汁は、浄化処理されて、廃水処理できることが期待される。発酵が進み、堆肥化され、浅部へ移動した湿潤物は、バックホー等で引き上げられ、次いで乾燥され、堆肥として製品化されるものと考えられる。
【０００４】
この構造物は、理想通りに堆肥化できるか否かに疑問が残る。また大雨によって未浄化の瀝汁が溢流しないかどうか心配である。また、湿潤物の乾燥が大変で、大がかりな設備を必要とし、製品コストが高くならないか等が心配される。
【０００５】
また、例えば、特開平７―６９７６５号公報（し尿または家畜の糞尿の再生処理方法と、し尿または家畜の糞尿処理施設）は、廃棄物であるし尿または家畜の糞尿を有益なコンポストや土壌改良材として再利用できるようにするし尿または家畜の糞尿の再処理方法を示している。具体的には、発酵槽内を発酵に適した状態に保つよう自然界の土壌菌や酵素等の微生物と温度と空気と水分とを供給調整する発酵条件調整手段を装着してなる発酵槽内に、処理媒体を収納して発酵処理用床を構成する。また、これにし尿または家畜の糞尿を混入したうえ、発酵条件調整手段を作動させて、発酵処理用床内に自然界の土壌菌や酵素等の微生物と温度と空気とを供給し、水分を調整し、し尿または家畜の糞尿を発酵させて堆肥化し、処理媒体と同化するようにしたことを特徴とする。
【０００６】
この発明によれば、し尿または糞尿を発酵させて堆肥化するのに、家畜の排泄物の内容に応じ適切に発酵条件を整え、発酵条件調整手段を最適に作動させることにより、完熟された良質の堆肥を作ることができる。ただし、糞尿の発酵熱量の関係から、湿潤度に制限があり、いわゆる蹴飛し式の豚舎から採取された水分の少ない糞尿についてはそのままコンポスト化可能であるが、母豚の糞尿のように、水分過多の場合には、これをそのままコンポスト化できず、機械で尿を絞ってから、コンポスト化し、絞った尿については、別途浄化処理しなければならない。
【０００７】
さらに、特開平６―９２７６５号公報（撹拌搬送装置における廃棄物処理方法及び廃棄物処理施設）には、豚などから排出された糞尿を堆肥化して良質の有機質肥料を製造すると共に、この有機質肥料の製造と並行して、汚水、汚泥等の廃棄物を効率良く処理することができる撹拌搬送装置等が示されている。具体的には、この撹拌搬送装置は、撹拌対象物である原料上方に水平なレールを布設し、レールに沿って走行車を移動させ、走行車から垂下した撹拌装置で、前方原料を後方に吊り上げつつ前方に進行し、原料を後方に移動させながら撹拌すると共に、撹拌されつつある原料中に汚水、汚泥等の廃棄物を混入するようにしたものである。汚水、汚泥の１種として、尿液（原尿、濾過尿、水分の多い糞尿）を混入させることも可能である。
【０００８】
従来、養豚業者等は、これら尿の瀝汁が溢流するのを防止する手段、糞尿をコンポスト化する手段、尿液を混ぜつつ堆肥を撹拌搬送し、尿液を減少させる手段等を利用しながら糞尿処理を行っている。
【０００９】
ところで、一般に、例えば豚は、糞１ｋｇに対し約１．７ｋｇの尿を排泄する。糞１ｋｇ中に含まれる水分は、７０％以上である。従って、糞尿全体に占める固形分は約１０〜１２％であり、熱量計算からして、尿が余り、全体を乾燥した堆肥とするのは不可能である。もっとも、蹴飛し式と称し、ケージ床上で尿の蒸散を促進し、水分減量を図る場合には、固形分を２０％以上にでき、全体コンポスト化を図ることができる。それでも母豚の場合には蹴飛し式を採用できず、どうしても尿が余る。
【００１０】
従来、余剰の尿は、濾過後浄化し、清水化した上で河川に放流することが考えられていたが、現状、１級河川に対しては、それは禁止されている。特開平７―６９７６５号公報や、特開平６―９２７６５号公報に示されるようなコンポスト化に伴って尿を処理する手段にも限度がある。また、これら施設は高価であり、購入資金の調達に苦労する。因みに、特開平７―６９７６５号公報に示される施設は、発酵処理用床の構成に加えて、発酵条件調整手段が豪勢で、かつ撹拌装置類等多数の自動化装置を必要とし、極めて高価な商品となっている。よって、利用家畜業者に大幅な制限が生じ、汎用できない。また、特開平６―９２７６５号公報に示される撹拌搬送装置を用いての廃棄物処理装置は、撹拌搬送装置を利用するコンポスト化ラインを既に有する家畜農家への利用価値はあるが、既存コンポスト化ラインの処理能力に限界がある。これらの理由から、これと同等以上の処理能力があり、これと同等以下の価格で尿の消滅処理を行うことができる汎用性のあるシステムが望まれていた。
【００１１】
【特許文献１】
実用新案登録第３０６０２０９号公報（第１項、図１）
【特許文献２】
特開平７−６９７６５号公報（第１項、図１）
【特許文献３】
特開平６−９２７６５号公報（第１項、図２）
【００１２】
【発明が解決しようとする課題】
本発明は、上記従来技術に鑑みて、資金力の乏しい家畜農家であっても容易にシステム構成でき、余剰の尿液を十分に消滅処理できる尿液処理システムを提供することを目的とする。
【００１３】
【課題を解決するための手段】
上記課題を解決することができる本発明の尿液処理システムは、作業車が進入可能な入口及びこれと連続され前記作業車が荷役作業を行うことができる下り勾配の斜面を備え、該斜面を含めてその内部に尿液浸透可能な基材を堆積可能とした基材堆積槽と、
前記基材堆積槽中に雨水が侵入するのを防止する屋根材と、
前記基材堆積槽の斜面に配管され、その上部に堆積された基材に向けて空気を吐出供給する空気供給管と、
前記基材堆積槽に堆積された基材の水分蒸散能力に応じた量の尿液を日々投入し、投入尿液の消滅処理を行うことを特徴とする。
【００１４】
フォークリフトやバケット車、ダンプ等の作業車が進入可能な入口及びこれと連続され前記作業車が基材の搬入又は搬出等の荷役作業を行うことができる下り勾配の斜面を備えた基材堆積槽は、山の斜面等を利用して容易に構築できる。例えば、箱形の壺を掘ると、残土整理が大変で、かつ配管機材やその付属設備を壺底面に設置するには地下工事が必要で相当大変である。これに対し、本発明では、基材堆積槽を、入口と連続される斜面を含めて例えば、断面三角形状とするので、槽構築が格別容易で、かつ、機材やポンプ等の付属設備の設置が格別容易である。特に山の斜面を利用する場合には、コンクリート製の側壁と、最深部に立設するコンクリート製の壁面のみを構築すれば良い。平地に設置する場合には、バックホー等を用いて緩やかに掘り進み、掘った土は土堤として積み上げ、例えば三角形状に掘った穴の三辺にコンクリート製の壁面を構築すれば良い。残土整理もほとんど不要で、容易、安価に構築できる。しかも、槽内部である斜面には、建築作業者が自由に出入りすることができるので、作業容易である。
【００１５】
基材堆積槽の上部には、基材堆積槽中に雨水が侵入するのを防止するための屋根材を設ける。建屋を作り、又は既設置の建家内に配置するのも構わない。水分蒸散を目的とするため、雨水等余計な水分の侵入を防止するための処置である。屋根材は、雨水侵入防止できれば何でも良く、太陽光利用可能なビニールやガラス製としても良い。
【００１６】
基材堆積槽の斜面には、空気供給管を配管する。この配管には、空気供給装置としてのコンプレッサやブロワーを設置する。このとき、配管は、入口側から機材搬入し、斜面配管するので、容易、安全に建設できる。コンプレッサやブロワー等の設備は、槽外配置するので、地下工事等は不要であり、容易、安全に設置できる。
【００１７】
以上の構成の設備を特開平７―６９７６５等のコンポスト化装置と比較すると、槽構成が容易である点、地下工事が不要である点、複雑設備が不要である点等から、設置コストが数分の１で済む。極端には、家畜農家が自前で設置できるので、材料代のみでの設置が可能であり、総合価格は１／５〜１／１０で済む。しかも、既に家畜農家が所有しているフォークリフトやバケット車等作業車を用いることができるので、設置後の管理設備がほとんど不要である。
【００１８】
前記斜面上に堆積された基材から当該斜面に降下された余剰の尿液を最深部以下の位置まで自然流下させる尿液排出管を備えることもできる。前記斜面に沿っては、多数の穴を明けた配管を施し、当該配管の端部には当該配管に空気を供給する空気供給装置と、前記穴を介して侵入し当該配管に沿って流下排出される尿液を受け溜める尿液槽とを設け、空気供給装置を断続運転することにより、空気供給又は尿液流下排出を交互に行うこともできる。
【００１９】
尿液排出管は、本発明の必須要件ではなく、前記基材堆積槽の使い方如何によって必要となる。即ち、基材堆積槽に堆積した基材に、多量の尿液を投入し過ぎた場合には、これが下方に溜まり、空気浸透を阻害する恐れがあるので、余剰の尿液を排出するため必要性がある。本システムの応用性を高めるために必要である。
【００２０】
撹拌装置は、特に設置しない。一般に撹拌が必要となるのは、基材上面で澱が溜まり、空気流通が阻害される場合である。澱が溜まるや否やは、使い方による。濾過尿の場合には、問題が無い。糞尿の場合でも、基材中央に投入する場合には問題が無い。粘りのある原尿を同一地点に散布し続ける場合には澱ができる。この場合には、前記空気供給管の空気量及び吐出制御を行うことにより、澱に穴を明け、空気流通及び尿の降下を促進することも可能である。
【００２１】
前記基材は、乾燥糞、湿潤度の低い糞尿、これらの１次発酵製品、藁、茶、コーヒ滓等有機物、炭やゼオライト等無機物の単独又は組み合わせたものを用いることができる。前記尿液の投入量は、投入する尿液の種別に応じた発熱量と、前記基材の種別に応じた発熱量と、空気供給量と、補助熱源の有無と、天候等その他水分蒸散因子の熱量計算値に基づいて定められる。平均的な豚の糞尿の排泄量及び性状について示すと表１に示す通りである。
【００２２】
【表１】
2004099399.tif 000003
表１において、糞尿１ｋｇをコンポスト化するとき、糞の固形分は２５％、発酵による発熱量は７５０ｋｃａｌで、蒸散に要する熱量４０５ｋｃａｌ（水１ｋｇ当りの蒸発熱量５４０ｋｃａｌと仮定する）を上回り、コンポスト化可能であることを示す。また、糞尿１ｋｇをコンポスト化しようとするとき、糞の固形分は１０％で、発酵による発熱量は３００ｋｃａｌで、蒸散に必要な熱量４８６ｋｃａｌを下回り、乾燥したコンポスト化製品を作るのは不可能であることを示す。尿液の消滅処理は、これら発酵熱を含めた発熱量の計算にて、蒸散に必要な熱量を供給できる状態を成立させることにより可能となる。バランス計算では、発熱量３０００ｋｃａｌとして、固形分１６％以上のとき、コンポスト化、或いは水分消滅可能である。
【００２３】
基材種別に応じた発熱量を次表２に示す。
【００２４】
【表２】
2004099399.tif 000004
基材発熱量に加算可能な熱源について表３に示す。
【００２５】
【表３】
2004099399.tif 000005
尿液種別による尿液自身の発熱量について表４に示す。
【００２６】
【表４】
2004099399.tif 000006
家畜農家では、以上示した表を参考とし、基材を定め、基材堆積槽に堆積し、投入する尿液の種別、空気供給量、補助熱源の有無、天候等水分蒸散因子の熱量計算値に基いて日々の投入量を定め、尿液の消滅処理を図ることができる。尿液の投入方式、空気量の設定、基材変更等の作業は、全て利用者である家畜農家が定める事項である。
【００２７】
また、本発明は、尿液浸透可能な基材を堆積可能とした基材堆積槽と、前記基材堆積槽の中に雨水が侵入するのを防止する屋根材と、前記基材堆積槽の底面に尿液排出可能なだけの傾斜を付けて配置され、その途中に設けた穴を介してその上部に堆積された基材に向けて空気を供給すると共に、空気供給を停止した状態では当該穴を介して前記底部へ流下されてきた尿液を前記傾斜に従って下方向へ排出する空気供給及び尿液排出用の共用管を設けたことを特徴とする尿液処理システムである。
【００２８】
従って、本発明の空気供給及び尿液排出用の共用管を設けた尿液処理システムでは、基材堆積槽の形状に拘らず、空気供給及び尿液排出を滞り無く行うことができる。穴が尿液混じりの固形物で塞がったとしても空気吐出で再度穴を明けることができる。特に、基材堆積槽と、作業車が進入可能な入口及びこれと連続され前記作業車が荷役作業を行うことができる下り勾配の斜面を備え、該斜面を含めてその内容に尿液浸透可能な基材を堆積可能とする場合には、斜面即ち傾斜面であるので、共用管を斜面に沿って配置することにより、斜面傾斜角度に応じた尿液の排出を行うことができ、共用管の有効利用が図れる。
【００２９】
以上により、家畜農家は、本発明の尿液処理システムを採用した場合、本発明の基材堆積槽と、屋根材と、空気供給管等の基準装置を自前で又は業者委託して安価に設置できる。これに要する設備費は、現在市販されているコンポスト化設備に比べ、同一容量比で１／５程度と試算される。そこで、農家は、上記の如き発熱量の表を参照しながら、基材の選定、尿液の投入方式、空気量の設定等、基材の変更等自前の利用ノウハウを作り、特別の経費を必要とすることなく、余剰の尿液を消滅処理することができる。利用ノウハウについては、インターネット等の通信手段を用い、各システム採用者間で意見交換し合うこともできる。
【００３０】
【発明の実施の形態】
以下、添付図面を参照しつつ本発明の実施の形態を説明する。図１は、本発明の一実施形態に係る尿液処理システムに用いる基準装置の断面説明図、図２は、その平面図、図３は、当該装置における斜面配管状態を示す拡大断面説明図である。本発明の尿液処理システムは、図１〜図３に示す装置と、家畜農家へ提供される基本的な利用ノウハウ及び家畜業者自身が提案する利用ノウハウ等の利用ノウハウと、別途、適宜装備されるフォークリフト等の付属部材とで構成される。
【００３１】
図１〜図３において、基準装置１は、作業車２が進入可能な入口３及びこれと連続され前記作業車が荷役作業を行うことができる下り勾配の斜面４を備え、該斜面４を含めてその内部に尿液５を浸透可能な基材６を堆積可能とした基材堆積槽７と、前記基材堆積槽７中に雨水が侵入するのを防止する屋根材８と、前記基材堆積槽７の斜面に配管され、その上部に堆積された基材６に向けて空気９を吐出供給すると共に、基材６から斜面４に降下された余剰の尿液５を最深部４Ｄ以下の位置まで自然流下させる共用管１０と、を備えて成る。屋根材８は、建家１１の屋根で構成する。建家１１は、壁面を有するものとする。
【００３２】
前記共用管１０は、長さが異なる２種のもの１０Ａ、１０Ｂを、一定ピッチＰ（１５〜３０ｃｍ）で配管する。また、図３に詳細に示すように、上向き姿勢の多数の穴１０Ｈを有し、最深部４Ｄ以下の位置で、バルブＶ１、Ｖ２を介して空気供給装置１２及び尿液槽１３と夫々接続されている。従って、バルブＶ２を閉じ、バルブＶ１を開けてコンプレッサやブロワー等空気供給装置１２を作動させる場合には、穴１０Ｈを介して基材６中に空気を吐出することができる。また、バルブＶ１を閉じ、バルブＶ２を開け、尿液５を尿液槽１３へ流下させることができる。空気供給装置１２は、必ずしも１台の装置で構成する必要は無い。極端には、各配管毎に１台の小型装置を接続配置することもできる。
【００３３】
再度図１及び図２において、本例の基材堆積槽７は、最深部４Ｄを定めるコンクリート壁１４を有し、その表面に沿って尿液槽１３（１３Ａ、１３Ｂ）が設置されている。一方の尿液槽１３Ａは、共用管１０から流下されてきた尿液５を受け溜めるための槽（分離槽）である。他方の尿液槽１３Ｂとは、底部が連通されている。他方の尿液槽１３Ｂは、豚舎等から運ばれてきた尿液５を日々入荷し、受け溜めておくための槽（原尿槽）である。原尿槽１３Ｂには、ポンプ１５と配管で接続され、尿液吐出管１６は、建家１１内に延長されている。
【００３４】
前記共用管１０の一端には、バルブＶ１を介してコンプレッサやブロワー等空気供給装置１２が接続されている。空気供給装置１２の入力口は、バルブＶ３、Ｖ４、Ｖ５を介して室外空気を取り入れるための外気開口端１７、他のコンポスト化装置からの臭気及び熱気を取り込むための外部応用端１８、建家１１内部の臭気を取り込むための内部応用端１９と接続している。内部応用端１９と空気供給装置１２との間には、脱臭装置２０を設けることもできる。以上の構成の基準装置１の実施例を表５に示す。表５中、斜面の傾斜角度αは１０〜３０％としている。この角度は、作業車の荷役作業が可能な範囲で槽容積が適切となるよう任意に定めることができる。尿液排出のためには、５％以上の傾斜とする必要が有る。
【００３５】
【表５】
2004099399.tif 000007
家畜農家は、以上の構成の基準装置１を用いて、表１〜表４に示した糞尿の蒸散理論を参照し、インターネット等による公開情報を含めて自己の利用ノウハウを定め、各種態様で尿液消滅処理を行うことができる。例えば、家畜が豚であり、１日当り５ｍ３の尿液を処理したい場合の条件例を表６にまとめて示す。
【００３６】
【表６】
2004099399.tif 000008
表６において、１次発酵製品は、既に農家が備えているコンポスト化装置等においてある程度の発酵を終えた堆肥であり、この発熱量は、表２より１５００ｋｃａｌであると考えられる。湿潤度は、通常２０％程度である。空気供給量は、発酵に必要なだけの最低量であるとする。即ち、表３に示すように、送風される空気自体にも水分蒸散能力があるが、本例ではこれを無視するものとする。
【００３７】
家畜農家の作業者２１は、フォークリフト等作業車２を用いて、１次発酵製品である基材６を搬送し、基材堆積槽７の最深部４Ｄから順次上方へ積み重ねて行く。高さは２ｍ程度が基準である。
【００３８】
次に、尿液５を原尿槽１３Ｂに入れ、空気供給装置１２を作動させ、次いでポンプ１５を駆動し、尿液５を基材６中に投入する。尿液の投入のし方には色々ある。１つは、全体に散布する方法である。また１つは、最深部４Ｄの上部へ注ぐ方法である。さらに１つは、図４に示すように多数の点Ｐ１〜Ｐ５で基材６の内部へ注入する方法である。散布には散布器を、注入には注入用の管を用いる。
【００３９】
１日当りの投入量（５ｍ３）を斜面全体に撒いたとすれば、その高さは約５ｃｍ上昇する。湿潤度２０％の基材１００ｍ３に対し尿液５ｍ３を投入し撹拌したとすれば、湿潤度は全体で約５％上昇する。
【００４０】
尿液の投入を一気に１点に対し行った場合、数日後、最深部４Ｄの上部に澱が出ることが考えられる。この場合、図５（ａ）（ｂ）に示すように、空気９の供給を一時停止して澱２２に穴２２Ｈを明け、尿液５を基材６中に沈めることも考えられる。上記の如く、多点Ｐ１〜Ｐ５へ注入する方法を取れば、このような事態は生じないものと考えられる。仮に澱が生じた場合には、空気９の吐出量を拡大し、作動、停止を繰り返す等により、それを退治できる。尿液５が基材６の底部へ溜まるような事態が生じた場合には、空気９の供給を止め、バルブＶ２を開けることにより、尿液５を分離槽１３Ａへ流下させることができる。空気供給用の穴１０Ｈが塞がったような場合には、空気供給圧を上げ、穴を開けることもできる。
【００４１】
以上のような作業を行うことにより、基材６中に尿液５が浸透し、水分供給によって基材６が発酵を始め温度上昇し、その分尿液中の水分が蒸散する。水分蒸散に必要な熱量を５４０ｋｃａｌ／ｋｇとすれば、投入基材６の量に応じた総発熱量Ｑ１を１日当り５ｍ３の尿液を蒸散させるのに必要な熱量Ｑ２で除して、投入可能日数ｎが、ｎ＝Ｑ１／Ｑ２で定まる。本実施例では、計算上はｎ＝５５日である。実際には、空気供給による蒸散助長や尿液中の固形物による発熱量、表面空気流通による水分蒸散、加えて太陽光より得られる熱量等が関係するので、これより大きな値、例えばｎ＝６５日となる。
【００４２】
図６に基材６の湿潤度変化の線図を示した。（ａ）図はｎ＝６０の場合、（ｂ）図は、ｎ＝１００日の場合、（ｃ）図は、ｎ＞１２０の場合である。図示のように、日々投入される５ｍ３の尿液は、日々蒸散される。基材６の湿潤度Ｗは、総発熱量Ｑ１を使い切った時点で、日々約５％づつ上昇する形となる。従って、各農家では、湿潤度が大きく上昇してくる手前で、基材６の交換を行わなければならない。本例での基材６は、１次発酵製品であるので、２次発酵、即ち完熟堆肥が出来、これを１次発酵製品と入れ換えることになる。
【００４３】
基材入れ換えには、相応の手間を要する。しかし、自動入れ換え機械の設置には多額の費用を必要とする。本発明では、相応の手間を要するも、フォークリフトやバケット車等自己が有する汎用機械を用いて低コストで運営できるのが１つの特徴である。
【００４４】
処理可能日数ｎを上昇させることも可能である。このためには、基材６、尿液５、空気送風、補助熱源を検討する。基材６に関しては、発酵熱量大なるものを選ぶことができる。基材６中に糠を加え発酵熱量を大とするのも１つの方法である。尿液に関しては、固形分の多い原尿を用いるのも１つの方法である。空気送風に関しては、既設置のコンポスト化装置の排気を外部応用端１８を介して利用するのも１つの方法である。コンポスト化装置は、例えば、蹴落し式の蓄舎で得られた糞尿を１次発酵して１次発酵製品を作るものであるので、その排気は６０〜７０℃の高温となっており、かつ臭気が強い。従って、この臭気を脱臭することができ、かつ熱量を再利用できるので、多大のメリットが有る。これにより、図６（ｂ）図に示すように、処理可能日数ｎを１００日程度まで上昇させることが可能である。
【００４５】
さらに、利用ノウハウの１つとして、投入すべき尿液中に故意に有機物や糞を混ぜ発熱量を多大なものとすることができる。これにより、図６（ｃ）に示すように処理可能日数ｎを１２０日以上とすることができる。しかし、一般に良質の堆肥を得るには、十分な発酵が必要で、尿液５を基材６の各所にピンポイントで注入した場合、交換時期に未発酵の部分を残してしまう恐れがある。従って、この場合、入口３側の交換すべき位置には、最終日近くでは糞尿混じりの尿液は投入しない等の手立てが必要となる。入口３と連続する下り勾配の斜面４の一対を突き合わせたＶ字形の基材堆積槽を作り、例えば３ヶ月毎に順次、交互に使用すること等により対応することもできる。基材堆積槽７を長手方向に沿って複数に分割し、交互利用することもできる。複数の基材堆積槽７をＬ字形やＹ字形、或いは十字形に組合せて交互使用することもできる。
【００４６】
さらには、太陽光の熱量をソーラシステム等により捕獲し、これを尿液や空気、或いは基材６に与え、水分蒸散を促進することもできる。極端には、廃油等を用いてボイラで加熱することも考えられる。しかし、このボイラの加熱を極端に行う場合には、発酵熱を凌いで水分蒸発させ、多量の臭気（悪臭）を発生するので、使用するにしても冬季等に限定し、最小の量に止めなければならない。
【００４７】
以上の通り、本発明の一実施形態に係る尿液処理システムでは、基準装置１を用いて農家で利用ノウハウを定め、基材堆積槽７に投入した基材６中に日々定めた量の尿液５を投入し、これを６０、１００または１２０日以上の日数を通じて消滅処理できる。
【００４８】
基材としてコンポスト化装置で作られた１次発酵製品を用いる場合には、処理可能最大日数を経て完熟品とすることができ、良質の堆肥を作ることができる。
【００４９】
基材６としては、乾燥糞、湿潤度の低い糞尿、これらの１次発酵製品の他、藁や糠等有機物、炭やゼオライト等の無機物の単独又は組み合わせ品を利用できる。これらと尿液とを如何に組み合わせ、発熱量の計算を行い、日々投入できる量を定めて、尿液投入可能日数ｎの範囲で長期に亘り尿液消滅処理を行うことができる。
【００５０】
本発明は、上記実施の形態に限定されるものではなく、本発明の要旨を逸脱しない範囲で適宜設計的変更を行うことができ、各種態様で実施できる。
【００５１】
【発明の効果】
以上の通り、本発明は、作業車が進入可能な入口及びこれと連続され前記作業車が荷役作業を行うことができる下り勾配の斜面を備え、該斜面を含めてその内部に尿液浸透可能な基材を堆積可能とした基材堆積槽と、前記基材堆積槽中に雨水が侵入するのを防止する屋根材と、前記基材堆積槽の斜面に配管され、その上部に堆積された基材に向けて空気を吐出供給する空気供給管等、から成る基準装置を用いて、前記基材堆積槽に堆積された基材の水分蒸散能力に応じた量の尿液を日々投入し、投入尿液の消滅処理を行うことを特徴とする尿液処理システムであるので、装置設置コストが格安であり、個々の農家で利用ノウハウを定めて効率的な尿液消滅処理を行うことができる。
【００５２】
基材堆積槽は、入口及びこれと連続される下り勾配の斜面で構成されるので、選択された基材の搬入及び搬出を農家が所有する汎用作業車を用いて農家自身で自由に行うことができる。
【００５３】
斜面上に堆積された基材から当該斜面に降下された余剰の尿液を最深部以下の位置まで自然流下させる尿液排出管を備える場合には、利用ノウハウの実行下で、尿液を過剰に与えてしまった場合でも余剰尿液を排出でき、空気流通を阻害して、発酵が阻害されることが無い。
【００５４】
斜面に沿っては、多数の穴を明けた配管を施し、当該配管の端部には当該配管に空気を供給する空気供給装置と、前記穴を介して侵入し当該配管に沿って流下排出される尿液を受け溜める尿液槽とを設ける場合には、空気供給管と尿液排出管とが共用されるようになり、空気供給装置の断続運転により、空気供給、又は尿液流下排出を交互に行うことができる。しかも、尿液の停滞によって穴が閉塞されるような場合でも、空気の加圧によって穴を明けること等もできる。
【００５５】
家畜農家では、基材として乾燥糞、湿潤度の低い糞尿、これらの１次発酵製品、藁や糠等有機物、炭やゼオライト等の無機物の単独又は組み合わせ品を選択し、自己の利用ノウハウとして最も効率の良い尿液処理システムを構築できる。
【００５６】
家畜農家では、尿液の投入量を、投入する尿液の種別に応じた発熱量と、基材の種別に応じた発熱量と、空気供給量と、補助熱源の有無と、天候その他の尿液蒸散因子に基いて計算できるので、種々の工夫を重ねることにより、例えば基材に対し５％容量の尿液を、基材の入れ換え無しで、６０日、９０日１２０日以上と長期に亘って投入し続け、消滅処理することができる。
【図面の簡単な説明】
【図１】本発明の一実施形態に係る尿液処理システムに用いる基準装置の側断面説明図である。
【図２】図１に示す装置の平面図である。
【図３】図１に示す装置における斜面配管状態を示す拡大側断面説明図である。
【図４】基材への尿液の投入方法の１例を示す説明図で、（ａ）図は側断面図、（ｂ）図は平面図である。
【図５】基材への空気供給方法を示す説明図で、（ａ）図は空気を供給している状態を示す説明図、（ｂ）図は空気供給を停止した場合の説明図である。
【図６】基材の湿潤度の変化を示す線図で、（ａ）図は基材が１次発酵製品で１日当り５％容量の尿液を投入した場合、（ｂ）図は尿液等の発熱量を増加した場合、（ｃ）図は発酵熱量にコンポスト化装置の廃熱等を利用した場合の線図である。
【符号の説明】
１　基準装置
２　作業車
３　入口
４　斜面
５　尿液
６　基材
７　基材堆積槽
８　屋根材
９　空気
１０　共用管
１０Ａ　長い方の共用管
１０Ｂ　短い方の共用管
１１　建家
１２　空気供給装置
１３　尿液槽
１３Ａ　分離槽
１３Ｂ　原尿槽
１４　コンクリート壁
１５　ポンプ
１６　尿液吐出管
１７　外気開口端
１８　外部応用端
１９　内部応用端
２０　脱臭装置
２１　作業者
２２　澱
２２　澱に明けられた穴
Ｖ１　空気供給用バルブ
Ｖ２　尿液排出用バルブ
Ｖ３　空気取込用バルブ
Ｖ４　外部応用バルブ
Ｖ５　内部応用バルブ
【図１】
2004099399.tif 000009
【図２】
2004099399.tif 000010
【図３】
2004099399.tif 000011
【図４】
2004099399.tif 000012
【図５】
2004099399.tif 000013
【図６】
2004099399.tif 000014